(57)【要約】【課題】クロック信号の伝達経路から発生する高調波に起因する受信感度の劣化を抑制できる無線通信装置を提供する。【解決手段】一実施形態の無線通信装置は、調整部２０、クロック伝達部３０、補正部５０、及び制御部６０を備える。調整部２０は、クロック信号ＣＬＫの周波数Ｆoscを、調整値を用いて周波数Ｆclkに調整する。クロック伝達部３０は、周波数Ｆclkを有する調整クロック信号ＣＬＫａを伝達する。補正部５０は、クロック伝達部３０により伝達されたクロック信号ＣＬＫａの周波数Ｆclkを、補正値を用いて周波数ＦPLLに補正する。制御部６０は、受信信号ＳＲＸの受信周波数Ｆrxに応じて調整値を設定すると共に、調整値から補正値を求め、補正値を設定する。【選択図】図１
2016048832.tif 000002
【特許請求の範囲】
【請求項１】
第１クロック信号の第１周波数を、調整値を用いて第２周波数に調整する調整部と、
前記第２周波数を有する第２クロック信号を伝達する伝達部と、
前記伝達部により伝達された前記第２クロック信号の前記第２周波数を、補正値を用いて第３周波数に補正する補正部と、
受信信号の受信周波数に応じて前記調整値を設定すると共に、前記調整値から前記補正値を求め、前記補正値を設定する制御部と、
を具備することを特徴とする無線通信装置。
【請求項２】
前記制御部は、前記第２周波数の高調波周波数が前記受信周波数から外れるように、前記調整値を設定することを特徴とする請求項１に記載の無線通信装置。
【請求項３】
前記調整値は１前後の少数値であり、前記調整部は、前記第１周波数を前記１前後の少数値で逓倍することにより前記第２周波数を生成することを特徴とする請求項１または２に記載の無線通信装置。
【請求項４】
前記調整値は１／ｎであり、前記調整部は、前記第１周波数を前記１／ｎ倍して前記第２周波数を生成する周波数変換回路と、前記第１周波数と前記第２周波数のいずれか１つを選択する選択回路とを備え、前記１／ｎは１前後の小数値であることを特徴とする請求項１または２に記載の無線通信装置。
【請求項５】
前記補正部は、前記第２周波数を前記第３周波数に変換するＰＬＬ（phase locked loop）回路を含むことを特徴とする請求項１乃至４のいずれかに記載の無線通信装置。
【請求項６】
前記補正値は前記ｎであり、前記補正部は、第１制御コードを前記ｎ倍して第２制御コードを生成し、前記第２制御コードに基づいて、前記第２周波数を第３周波数に変換することを特徴とする請求項４に記載の無線通信装置。
【請求項７】
前記補正部は、第１制御コードを前記補正値に基づいて補正し、第２制御コードを生成する補正回路と、前記第１制御コードと前記第２制御コードのいずれか１つを選択する選択回路と、前記選択回路により選択された前記第１制御コードまたは前記第２制御コードのいずれか１つに基づいて、前記第２周波数を前記第３周波数に変換するＰＬＬ（phase locked loop）回路と、を備えることを特徴とする請求項１乃至４のいずれかに記載の無線通信装置。
【請求項８】
前記ＰＬＬ回路は、ベースバンドＰＬＬ（base band phase locked loop）であることを特徴とする請求項５または７に記載の無線通信装置。
【請求項９】
前記ＰＬＬ回路は、無線周波数ＰＬＬ（radio frequency phase locked loop）であることを特徴とする請求項５または７に記載の無線通信装置。
【発明の詳細な説明】
【技術分野】
【０００１】
本発明の実施形態は、無線通信装置に関する。
【背景技術】
【０００２】
無線通信装置は、各種のクロック信号に基づいて動作する。クロック信号は、波形が矩形波状であるため、複数の高調波成分を含んでいる。これらの高調波成分は、受信信号が入力される受信部のアンテナ端子に伝播する。従って、クロック信号の高次の高調波周波数が受信信号の周波数に重なると、受信感度が劣化する。
【先行技術文献】
【特許文献】
【０００３】
【特許文献１】特許第４９３５５３２号
【特許文献２】特開２００９−１０６２１号公報
【発明の概要】
【発明が解決しようとする課題】
【０００４】
解決しようとする課題は、クロック信号の伝達経路から発生する高調波に起因する受信感度の劣化を抑制できる無線通信装置を提供する。
【課題を解決するための手段】
【０００５】
一実施態様の無線通信装置は、第１クロック信号の第１周波数を、調整値を用いて第２周波数に調整する調整部と、前記第２周波数を有する第２クロック信号を伝達する伝達部と、前記伝達部により伝達された前記第２クロック信号の前記第２周波数を、補正値を用いて第３周波数に補正する補正部と、受信信号の受信周波数に応じて前記調整値を設定すると共に、前記調整値から前記補正値を求め、前記補正値を設定する制御部とを具備することを特徴とする。
【図面の簡単な説明】
【０００６】
【図１】図１は、実施形態の無線通信装置の概略構成を示すブロック図である。
【図２】図２は、実施形態の無線通信装置における高調波の信号強度と受信周波数を示す図である。
【図３】図３は、実施形態の無線通信装置内の基準発振回路とＢＢＰＬＬ間の構成を示す図である。
【図４】図４は、図３に示した構成における高調波の信号強度と受信周波数を示す図である。
【図５】図５は、実施形態の無線通信装置内の調整部の構成を示す回路図である。
【図６】図６は、実施形態の無線通信装置内の補正部の構成を示す回路図である。
【図７】図７は、実施形態における各種クロック信号の周波数の一例を示す図である。
【図８】図８は、実施形態における調整クロック信号の周波数の一例を示す図である。
【図９】図９は、ブルートゥースの受信周波数帯における調整クロック信号の周波数と高調波周波数を示す図である。
【発明を実施するための形態】
【０００７】
以下、図面を参照して実施形態について説明する。なお、以下の説明において、同一の機能及び構成を有する構成要素については、同一符号を付し、重複説明は必要な場合にのみ行う。
【０００８】
まず、実施形態の無線通信装置の概略構成について説明する。
【０００９】
図１は、実施形態の無線通信装置の概略構成を示すブロック図である。図１に示すように、無線通信装置は、基準発振回路１０、調整部２０、クロック伝達部３０、ＢＢＰＬＬ（base band phase locked loop）４０、補正部５０、制御部６０、調整部７０、クロック伝達部８０、ＲＦＰＬＬ（radio frequency phase locked loop）９０、補正部１００、アンテナ１１０、受信部１２０、及びデジタル回路１３０を備える。
【００１０】
基準発振回路１０は、矩形波状の基準クロック信号ＣＬＫを生成する。クロック信号ＣＬＫは、周波数Ｆosc（第１周波数）を有し、複数の高調波を含んでいる。基準発振回路１０は、例えば水晶発振器等からなる。
【００１１】
調整部２０，７０は、制御部６０からの制御信号ＣＬ１に基づいて、基準発振回路１０にて生成されたクロック信号ＣＬＫの周波数Ｆoscを、調整値を用いて調整し、周波数Ｆclk（第２周波数）を持つ調整クロック信号ＣＬＫａを出力する。
【００１２】
クロック伝達部３０，８０は、調整部２０，７０からそれぞれ供給された調整クロック信号ＣＬＫａを伝達する。
【００１３】
補正部５０，１００は、制御部６０からの制御信号ＣＬ２に基づいて、周波数制御コードＦＣＷを、補正値を用いて補正し、補正した周波数制御コードＦＣＷｃを出力する。
【００１４】
ＢＢＰＬＬ４０は、クロック伝達部３０で伝達された調整クロック信号ＣＬＫａに同期して動作する。具体的には、ＢＢＰＬＬ４０は、調整クロック信号ＣＬＫａ及び周波数制御コードＦＣＷあるいはＦＣＷｃに基づいて、周波数ＦPLL（第３周波数）のクロック信号ＣＬＫｂを生成する。
【００１５】
ＲＦＰＬＬ９０は、クロック伝達部８０で伝達された調整クロック信号ＣＬＫａに同期して動作する。具体的には、ＲＦＰＬＬ９０は、調整クロック信号ＣＬＫａ及び周波数制御コードＦＣＷあるいはＦＣＷｃに基づいて、高周波の周波数Ｆrfのローカル信号ＣＬＫrを生成する。
【００１６】
なお、補正部５０とＢＢＰＬＬ４０を合わせて、または補正部１００とＲＦＰＬＬ９０を合わせて補正部ともいう。
【００１７】
受信部１２０は、アンテナ１１０を介して無線信号である受信信号ＳＲＸを受信する。具体的には、受信部１２０は、ローカル信号ＣＬＫrの周波数Ｆrfに対応する周波数の受信信号ＳＲＸを受信する。本実施形態では、受信部１２０は、ローカル信号ＣＬＫrの周波数Ｆrfを中心周波数とする受信信号ＳＲＸを受信する。この中心周波数を受信信号ＳＲＸの受信周波数Ｆrxとも称す。受信信号ＳＲＸは、無線通信規格に応じた所定の帯域幅を有している。
【００１８】
受信部１２０は、増幅器１２１、ミキサ１２２、フィルタ１２３、及びアナログ−デジタル変換器（以下、Ａ／Ｄ変換器）１２４を有する。
【００１９】
増幅器１２１は、受信信号ＳＲＸを増幅する。ミキサ１２２は、増幅器１２１で増幅された受信信号ＳＲＸをローカル信号ＣＬＫrにより周波数変換して、受信信号ＳＲＸより周波数が低い低周波信号として出力する。
【００２０】
フィルタ１２３は、ミキサ１２２から出力された低周波信号を帯域制限する。
【００２１】
Ａ／Ｄ変換器１２４は、フィルタ１２３で帯域制限された低周波のアナログ信号をデジタル信号に変換する。Ａ／Ｄ変換器１２４は、クロック信号ＣＬＫｂに同期して動作する。
【００２２】
デジタル回路１３０は、Ａ／Ｄ変換器１２４から供給されたデジタル信号を信号処理して受信データを得る。デジタル回路１３０は、クロック信号ＣＬＫｂに同期して動作する。
【００２３】
制御部６０は、受信部１２０が受信する受信信号ＳＲＸの受信周波数Ｆrxに応じて、調整部２０，７０における調整値をそれぞれ設定する。制御部６０は、さらに調整値から補正値を求め、補正部５０，１００における補正値をそれぞれ設定する。
【００２４】
具体的には、制御部６０は、クロック信号ＣＬＫ（周波数Ｆosc）の高調波周波数が受信信号ＳＲＸの受信周波数Ｆrxと重なる場合、調整部２０，７０により調整値を用いて周波数Ｆoscを周波数Ｆclkに調整する。これにより、クロック伝達部３０，８０を伝達するクロック信号ＣＬＫａ（周波数Ｆclk）の高調波周波数が受信周波数Ｆrxと重ならないようにする。
【００２５】
また、制御部６０は、クロック信号ＣＬＫの周波数Ｆoscを、調整値を用いて調整した場合、その調整値から補正値を求め、補正値を用いて周波数Ｆclkを周波数ＦPLLあるいは周波数Ｆrfに補正する。調整部２０，７０による調整、及び補正部５０，１００による補正については後で詳述する。
【００２６】
なお、制御部６０は、クロック信号ＣＬＫの高調波周波数が受信信号ＳＲＸの受信周波数Ｆrxと重ならない場合、調整部２０，７０による調整は行わず、クロック信号ＣＬＫをそのままクロック伝達部３０，８０にそれぞれ出力する。もちろんこの場合、補正部５０，１００による補正も行わない。
【００２７】
次に、図１及び図２を参照して、実施形態の無線通信装置の動作について説明する。図２は、実施形態の無線通信装置における高調波の信号強度と受信周波数を示す図である。
【００２８】
動作を説明する前に、前述した各種信号の周波数を整理して置く。アンテナ１１０及び受信部１２０にて受信される受信信号ＳＲＸの受信周波数をＦrxとする。基準発振回路１０により生成されるクロック信号ＣＬＫの周波数をＦoscとする。クロック信号ＣＬＫの周波数Ｆoscを調整部２０，７０により調整した調整クロック信号（ＢＢＰＬＬ４０及びＲＦＰＬＬ９０に入力されるクロック信号）ＣＬＫａの周波数をＦclkとする。さらに、調整クロック信号ＣＬＫａの周波数ＦclkをＢＢＰＬＬ４０及びＲＦＰＬＬ９０により補正したクロック信号の周波数をそれぞれＦPLL，Ｆrfとする。
【００２９】
以下に、実施形態の無線通信装置における受信時の動作を述べる。
【００３０】
アンテナ１１０にて受信された受信信号ＳＲＸは受信部１２０に入力される。受信信号ＳＲＸは、増幅器１２１にて増幅され、ミキサ１２２に入力される。ミキサ１２２に入力された受信信号ＳＲＸは、ローカル信号ＣＬＫrにより周波数変換され、受信信号ＳＲＸより周波数が低い低周波信号として出力される。
【００３１】
フィルタ１２３に入力された受信信号は帯域制限され、Ａ／Ｄ変換器１２４に入力される。Ａ／Ｄ変換器１２４に入力された受信信号は、アナログ信号からデジタル信号に変換される。さらに、Ａ／Ｄ変換器１２４によりデジタル信号に変換された受信信号は、デジタル回路１３０にて信号処理される。
【００３２】
例えば、図２（ａ）に示すように、クロック信号の高次の周波数毎に、クロック信号の高調波により信号強度ＳＳの大きい周波数帯域が存在する。これら信号強度ＳＳの大きい周波数が受信信号ＳＲＸの受信周波数をＦrxと重なった場合、高調波がアンテナ１１０に伝播すると、受信感度が著しく劣化する。
【００３３】
本実施形態では、クロック信号ＣＬＫの高調波周波数が受信信号ＳＲＸの受信周波数Ｆrxと重なる場合、クロック信号ＣＬＫの周波数Ｆoscを調整し、図２（ｂ）に示すように、周波数Ｆclkの高調波周波数が受信周波数Ｆrxと重ならないようにする。これにより、クロック信号ＣＬＫの高調波により受信部１２０の受信感度が劣化するのを抑制することができる。
【００３４】
クロック信号ＣＬＫの周波数Ｆoscを調整し、周波数ＦclkをＢＢＰＬＬ４０及びＲＦＰＬＬ９０に入力したままでは、ＢＢＰＬＬ４０及びＲＦＰＬＬ９０から出力されるクロック信号の周波数が変わってしまう。ＢＢＰＬＬ４０及びＲＦＰＬＬ９０から出力されるクロック信号の周波数が変わると、これらクロック信号を基準クロックとして動作する回路、例えばＡ／Ｄ変換器１２４、デジタル回路１３０、及びミキサ１２２の動作に影響を与えてしまう。
【００３５】
本実施形態では、周波数Ｆoscを周波数Ｆclkに調整するときに用いた調整値に基づいて周波数制御コードＦＣＷを補正することにより、ＢＢＰＬＬ４０及びＲＦＰＬＬ９０から出力されるクロック信号の周波数が変わらないようにする。これにより、ＢＢＰＬＬ４０及びＲＦＰＬＬ９０から出力されるクロック信号を基準クロックとして動作する回路、例えばＡ／Ｄ変換器１２４、デジタル回路１３０、及びミキサ１２２の動作に影響を与えないようにすることができる。
【００３６】
次に、実施形態の無線通信装置内の調整部２０、制御部６０、補正部５０、及びクロック伝達部３０の構成及び動作について詳述する。
【００３７】
図３は、図１中の基準発振回路１０とＢＢＰＬＬ４０との間に配置された調整部２０、制御部６０、補正部５０、及びクロック伝達部３０の構成を示す図である。
【００３８】
調整部２０は、周波数変換回路２１及び選択回路２２を含む。周波数変換回路２１は、基準発振回路１０から出力された基準クロック信号ＣＬＫの周波数Ｆoscを変換し、選択回路２２内の入力チャネル１に出力する。詳細には、周波数変換回路２１は、クロック信号ＣＬＫの周波数Ｆoscを(１／ｎ)倍して、周波数Ｆoscを周波数Ｆclkに変換する。ｎは、クロック信号ＣＬＫａ（周波数Ｆclk）の高調波周波数が受信信号ＳＲＸの受信周波数Ｆrxと重ならないように設定される。ここで、調整部２０が用いる調整値は１／ｎであり、例えば１／ｎは、１前後の少数値に設定される。言い換えると、調整部２０は、周波数Ｆoscを１前後の少数値で逓倍することにより周波数Ｆclkを生成する。
【００３９】
選択回路２２内の入力チャネル１にはクロック信号ＣＬＫａ（周波数Ｆclk）が入力され、入力チャネル０にはクロック信号ＣＬＫ（周波数Ｆosc）が入力される。選択回路２２は、制御部６０からの制御信号ＣＬ１に従って、入力チャネル０，１に入力された基準クロック信号ＣＬＫまたは調整クロック信号ＣＬＫａのうちいずれかの信号を選択し、クロック伝達部３０に出力する。
【００４０】
クロック伝達部３０は、増幅器３１、伝達経路３２、及び増幅器３３を含み、基準クロック信号ＣＬＫまたは調整クロック信号ＣＬＫａを伝達する。
【００４１】
補正部５０は、コード変換回路５１及び選択回路５２を含む。コード変換回路５１は、周波数制御コードＦＣＷを補正し、補正した周波数制御コードＦＣＷｃを選択回路５２内の入力チャネル１に出力する。詳細には、コード変換回路５１は、周波数制御コードＦＣＷをｎ倍して周波数制御コードＦＣＷｃに変換する。周波数変換回路２１では周波数Ｆoscを(１／ｎ)倍したため、コード変換回路５１では周波数制御コードＦＣＷをｎ倍する。
【００４２】
選択回路５２内の入力チャネル１には周波数制御コードＦＣＷｃが入力され、選択回路５２内の入力チャネル０には周波数制御コードＦＣＷが入力される。選択回路５２は、制御部６０からの制御信号ＣＬ２に従って、入力チャネル０，１に入力された周波数制御コードＦＣＷ，ＦＣＷｃのうちいずれかのコードを選択し、ＢＢＰＬＬ４０に出力する。
【００４３】
ＢＢＰＬＬ４０は、選択回路５２により選択された周波数制御コードＦＣＷまたはＦＣＷｃに基づいて、調整クロック信号ＣＬＫａの周波数Ｆclkを補正し、クロック信号ＣＬＫｂ（周波数ＦPLL）を出力する。その後、クロック信号ＣＬＫｂは、Ａ／Ｄ変換器１２４、デジタル回路１３０にて動作クロック信号として用いられる。
【００４４】
図４に、図３に示した構成における高調波の信号強度と受信周波数を示す。受信信号ＳＲＸの受信周波数Ｆrxとクロック信号ＣＬＫの高調波周波数（ｋ×Ｆosc）が、図４に示すように重なっている場合、受信信号を正確に受信することが困難となる。
【００４５】
そこで、制御部６０は、クロック信号ＣＬＫの高調波周波数（ｋ×Ｆosc）が受信信号ＳＲＸの受信周波数Ｆrxと重なるとき、制御信号ＣＬ１により選択回路２２内の入力チャネル１を選択する。これにより、選択回路２２は、入力チャネル１に入力されていたクロック信号ＣＬＫａ（周波数Ｆclk）をクロック伝達部３０に出力する。すなわち、制御部６０は、高調波周波数（ｋ×Ｆosc）と受信周波数Ｆrxとが重なる場合は、クロック信号ＣＬＫの周波数Ｆoscを(１／ｎ)倍した調整クロック信号ＣＬＫａを選択し、調整クロック信号ＣＬＫａをクロック伝達部３０に出力する。
【００４６】
このようにして、クロック伝達部３０を伝達する調整クロック信号ＣＬＫａ（周波数Ｆclk）の高調波周波数を（ｋ×Ｆosc／ｎ）とし、調整クロック信号ＣＬＫａの高調波周波数を受信周波数Ｆrxの帯域から外す。これにより、クロック信号ＣＬＫの高調波による受信周波数Ｆrxへの影響を低減し、受信感度の劣化を抑制する。
【００４７】
一方、制御部６０は、クロック信号ＣＬＫの高調波周波数（ｋ×Ｆosc）が受信周波数Ｆrxと重ならないとき、制御信号ＣＬ１により選択回路２２内の入力チャネル０を選択する。これにより、選択回路２２は、入力チャネル０に入力されていたクロック信号ＣＬＫ（周波数Ｆosc）をクロック伝達部３０に出力する。この場合は、クロック信号ＣＬＫの高調波による受信周波数Ｆrxへの影響は無いため、受信感度の劣化は発生しない。
【００４８】
また、調整クロック信号ＣＬＫａを選択した場合、制御部６０は、周波数制御コードＦＣＷｃを選択し、ＢＢＰＬＬ４０に出力させる。ＢＢＰＬＬ４０は、周波数制御コードＦＣＷｃに基づいて、調整クロック信号ＣＬＫａの周波数Ｆclkを周波数ＦPLLに変換する。
【００４９】
一方、クロック信号ＣＬＫを選択した場合、制御部６０は、周波数制御コードＦＣＷを選択し、ＢＢＰＬＬ４０に出力させる。ＢＢＰＬＬ４０は、周波数制御コードＦＣＷに基づいて、クロック信号ＣＬＫの周波数Ｆoscを周波数ＦPLLに変換する。
【００５０】
制御部６０は、クロック信号ＣＬＫまたは調整クロック信号ＣＬＫａのいずれの信号を選択した場合でも、ＢＢＰＬＬ４０から出力されるクロック信号ＣＬＫｂの周波数ＦPLLが変わらないように、周波数制御コードを補正する。本実施形態では、ＢＢＰＬＬ４０から出力される周波数ＦPLLが変わらないため、クロック信号ＣＬＫｂ（周波数ＦPLL）を用いる他の回路への影響がない。
【００５１】
なお、図１中の基準発振回路１０とＲＦＰＬＬ９０との間に配置された調整部７０、補正部１００、及びクロック伝達部８０では、ＲＦＰＬＬ９０からローカル信号ＣＬＫrが出力される。その他の構成は、前述した調整部２０、補正部５０、クロック伝達部３０の構成とほぼ同様であるため、その説明は省略する。
【００５２】
次に、実施形態における調整部２０及び補正部５０の詳細な構成例を説明する。
【００５３】
図５は、図３における調整部２０の構成を示す回路図である。
【００５４】
調整部２０は、遅延回路２３、選択回路２４、及びカウンタ２５を備える。遅延回路２３は、直列接続された複数の増幅器２３−１，２３−２，…，２３−２５６を有する。選択回路２４は、例えば１，２，…，２５６の入力チャネルを有する。遅延回路２３内の増幅器の入力端と出力端には、選択回路２４の入力チャネル１〜２５６がそれぞれ接続されている。カウンタ２５は、制御部６０からの制御信号ＣＬ１に従って、選択回路２４内の入力チャネルを選択する選択信号を出力する。選択回路２４は、カウンタ２５からの選択信号に応じて、いずれかの入力チャネルを選択し、選択したチャネルに入力されていた信号を調整クロック信号ＣＬＫａ（周波数Ｆclk）として出力する。
【００５５】
基準発振回路１０から出力されたクロック信号ＣＬＫは、遅延回路２３とカウンタ２５に入力される。カウンタ２５は、入力されたクロック信号ＣＬＫのクロックをカウントし、制御部６０からの制御信号ＣＬ１に従って、クロックのカウント数に合わせて入力チャネル１〜２５６のいずれかを選択する選択信号を出力する。
【００５６】
選択回路２４は、選択信号に応じて入力チャネルを選択する。例えば、選択回路２４は、１番目に入力チャネル１を選択し、入力チャネル１から調整クロック信号（周波数Ｆclk）を出力する。さらに、２番目に入力チャネル２を選択し、入力チャネル２から調整クロック信号ＣＬＫａを出力する。さらに、３番目に入力チャネル３を選択し、入力チャネル３から調整クロック信号ＣＬＫａを出力する。このように、選択する入力チャネルを１つずつずらすことにより、調整クロック信号ＣＬＫａの周波数Ｆclkを、Ｆosc＊２５６／（１＋２５６））に調整することができる。
【００５７】
図６は、図３における補正部５０の構成を示す回路図である。
【００５８】
補正部５０は、シフト回路５１Ａ、加算器５１Ｂ、及び選択回路５２を備える。周波数制御コードＦＣＷは、シフト回路５１Ａ、加算器５１Ｂ、及び選択回路５２の入力チャネル０にそれぞれ入力されている。シフト回路５１Ａに入力された周波数制御コードＦＣＷは、シフト回路５１Ａにより８ビットシフトされ、加算器５１Ｂに入力される。加算器５１Ｂは、シフト回路５１Ａによりシフトされた周波数制御コードと、直接入力された周波数制御コードとを加算し、補正した周波数制御コードＦＣＷｃを選択回路５２の入力チャネル１に出力する。
【００５９】
選択回路５２は、制御部６０からの制御信号ＣＬ２に応じて、入力チャネル０，１のいずれかのチャネルを選択する。例えば、入力チャネル０が選択された場合、選択回路５２は周波数制御コードＦＣＷを出力する。また、入力チャネル１が選択された場合、選択回路５２は、補正した周波数制御コードＦＣＷｃを出力する。
【００６０】
次に、実施形態における図３、図５及び図６に示した回路による動作例について説明する。図７は、実施形態における各種クロック信号の周波数の一例を示す図である。
【００６１】
基準クロック信号ＣＬＫの周波数Ｆoscが１９.２００ＭＨzで、ｎが１のとき、すなわち周波数Ｆoscを調整しないとき、周波数は変わらず、周波数Ｆclkが１９.２００ＭＨzとなる。ここで、周波数制御コードＦＣＷが３２.５００である場合、ＢＢＰＬＬ４０から出力されるクロック信号ＣＬＫｂの周波数ＦPLLは６２４ＭＨｚとなる。
【００６２】
また、基準クロック信号ＣＬＫの周波数Ｆoscが１９.２００ＭＨzで、ｎが（２５７／２５６）のとき、周波数Ｆosc を（１／ｎ）倍すると、すなわち周波数Ｆoscを(２５６／２５７)倍すると、周波数Ｆoscはわずかに低くなり、周波数Ｆclkが１９.１２５ＭＨzとなる。ここで、周波数制御コードＦＣＷが３２.５００である場合、ＢＢＰＬＬ４０から出力されるクロック信号ＣＬＫｂの周波数ＦPLLは６２１.５６２ＭＨｚとなり、後段の回路で使用する周波数６２４ＭＨｚからずれてしまう。
【００６３】
そこで、周波数制御コードＦＣＷ（３２.５００）をｎ倍することにより、周波数制御コードＦＣＷの補正値（３２.５００＊（２５７／２５６）＝３２.６２７）を求める。そして、周波数Ｆclk（１９.１２５ＭＨz）を３２.６２７（補正値）倍することにより、ＢＢＰＬＬ４０から出力されるクロック信号ＣＬＫｂの周波数ＦPLLを６２４ＭＨｚとする。
【００６４】
前述したように、クロック信号ＣＬＫ（周波数Ｆosc）の高調波周波数が受信周波数Ｆrxと重なる場合、周波数Ｆosc（１９.２００ＭＨz）を周波数Ｆclk（１９.１２５ＭＨz）へずらすことにより、クロック伝達部３０を伝達する調整クロック信号ＣＬＫａ（周波数Ｆclk）の高調波周波数が受信周波数Ｆrxと重なるのを防ぐことができる。これにより、受信部１２０の受信感度の劣化を抑制することができる。
【００６５】
さらに、周波数Ｆoscを周波数Ｆclk（１９.１２５ＭＨz）へずらしたとき、ＢＢＰＬＬ４０から出力されるクロック信号ＣＬＫｂの周波数ＦPLLもずれてしまうのを防止するため、ＢＢＰＬＬ４０で用いる周波数制御コードＦＣＷを補正する。周波数制御コードＦＣＷの補正は、周波数Ｆoscをずらすときに用いた調整値に応じて設定される。これにより、ＢＢＰＬＬ４０から出力されるクロック信号ＣＬＫｂの周波数ＦPLLを６２４ＭＨｚに一定にできるため、クロック信号ＣＬＫｂ（周波数ＦPLL）を用いる後段の回路への影響を防ぐことができる。
【００６６】
図８は、実施形態における調整クロック信号の周波数Ｆclkの一例を示す図である。図８（ａ）はクロック信号ＣＬＫ（周波数Ｆosc）が調整されない場合の周波数Ｆclkとその高調波周波数を示し、図８（ｂ）は周波数Ｆoscが調整された場合の周波数Ｆclkとその高調波周波数を示す図である。図９は、ブルートゥースの受信周波数帯において、周波数Ｆoscが調整されない場合と調整された場合の周波数Ｆclkの高調波周波数を示す。
【００６７】
例えば、図８（ａ）に示すように、周波数Ｆclkが１９.２００ＭＨzで、高調波の次数が１２６，１２７，１２８，１２９であるとき、高調波周波数はそれぞれ２４１９.２００ＭＨz（図９のＡ），２４３８.４００ＭＨz（図９のＢ），２４５７.６００ＭＨz（図９のＣ），２４７６．８００ＭＨz（図９のＤ）となる。
【００６８】
ブルートゥースの受信周波数帯において、例えば、周波数２４１９ＭＨz，２４３８ＭＨz，２４５８ＭＨz，２４７９ＭＨzの信号を受信する場合、図８（ａ）に示した周波数Ｆclkの高調波周波数とこれら受信周波数が重なってしまう。このため、制御部６０は、調整部２０によってクロック信号ＣＬＫの周波数Ｆoscを調整し、クロック信号ＣＬＫａの周波数Ｆclkを１９.１２５ＭＨzとする。これにより、周波数Ｆclk（１９.１２５ＭＨz）の高調波の次数が１２６，１２７，１２８，１２９であるとき、その高調波周波数は、それぞれ２４０９.７８７ＭＨz（図９のａ），２４２８.９１２ＭＨz（図９のｂ），２４４８.０３７ＭＨz（図９のｃ），２４６７.１６３ＭＨz（図９のｄ）となる。
【００６９】
このように実施形態では、周波数Ｆoscのクロック信号ＣＬＫを、周波数Ｆclkの調整クロック信号に調整することにより、クロック伝達部３０を伝達する調整クロック信号（周波数Ｆclk）の高調波周波数が受信周波数と重ならないようにする。これにより、受信部の受信感度の劣化を抑制できる。
【００７０】
以上説明したように実施形態によれば、クロック信号の伝達経路から発生する高調波に起因する受信感度の劣化を抑制できる無線通信装置を提供することができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１０…基準発振回路、２０…調整部、３０…クロック伝達部、４０…ＢＢＰＬＬ（base band phase locked loop）、５０…補正部、６０…制御部、７０…調整部、８０…クロック伝達部、９０…ＲＦＰＬＬ（radio frequency phase locked loop）、１００…補正部、１１０…アンテナ、１２０…受信部、１３０…デジタル回路。
【図１】
2016048832.tif 000003
【図２】
2016048832.tif 000004
【図３】
2016048832.tif 000005
【図４】
2016048832.tif 000006
【図５】
2016048832.tif 000007
【図６】
2016048832.tif 000008
【図７】
2016048832.tif 000009
【図８】
2016048832.tif 000010
【図９】
2016048832.tif 000011